(57)【特許請求の範囲】
【請求項１】
踏段の両側に設置された欄干に前記踏段の移動方向に沿って配設された乗客コンベアの照明装置において、
点光源を有する棒状光源を複数本備え、
複数本の前記棒状光源は、第１棒状光源と前記第１棒状光源より短い長さに設けられた第２棒状光源とを備え、前記踏段の移動方向に沿って前記点光源が並ぶように前記欄干に配設され、
前記第１棒状光源は、複数個の前記点光源が所定ピッチ毎に配置され、
前記第２棒状光源は、前記踏段の移動方向に沿った長さが、前記所定ピッチ以下に設けられ、
隣り合う前記棒状光源において隣接する前記点光源の間隔が、前記所定ピッチの１．５倍以下に設定されていることを特徴とする乗客コンベアの照明装置。
【請求項２】
前記棒状光源は、第１棒状光源と前記第１棒状光源より短い長さに設けられた第２棒状光源とを備え、
前記第２棒状光源は、電源に対して他の棒状光源と直列に接続されていることを特徴とする請求項１に記載の乗客コンベアの照明装置。
【発明の詳細な説明】
【技術分野】
【０００１】
本発明は、エスカレータや動く歩道などの乗客コンベアに用いられる照明装置に関する。
【背景技術】
【０００２】
エスカレータや動く歩道などの乗客コンベアでは、利用者の手元や足下の照度を確保して利用者の安全確保を目的としたり、あるいは、乗客コンベアの電飾を目的として、踏段の移動方向に沿って照明装置が取り付けられていることがある。照明装置は、乗客コンベアの手摺デッキ部分やスカートガードパネル部分などに配設される。
【０００３】
上記の照明装置には、光源として蛍光灯などの棒状光源が複数本使用されていることがある。このように複数本の棒状光源を使用する場合、棒状光源を乗客コンベアに固定するとともに電力を供給するためのソケットを棒状光源の端部に設ける必要がある。そのため、複数本の棒状光源を踏段の移動方向に連続して配置するとソケット部分が無灯となって、不自然な無灯領域が生じることとなり、美観を損ねるという問題がある。
【０００４】
そこで、従来より、照明装置の光源として、長手方向に対して直角方向外方に口金を設けた蛍光灯を棒状光源として使用することで、複数本の棒状光源を踏段の移動方向に連続して配置しても、ソケット部分が隣接する棒状光源の間に介在することが無くなり、踏段の移動方向に連続して照明することができる照明装置が提案されている（例えば、下記特許文献１参照）。
【先行技術文献】
【特許文献】
【０００５】
【特許文献１】特開昭６２−１９８００４号公報
【発明の概要】
【発明が解決しようとする課題】
【０００６】
しかしながら、上記のように照明装置の光源として、長手方向に対して直角方向外方に口金を設けた蛍光灯を使用する場合、蛍光灯を折り曲げて特殊な形状に加工する必要があるため、製造コストが大幅に増加する問題がある。
【０００７】
また、乗客コンベアの長さは据え付け対象の建築物によって異なり、必要となる光源の長さも乗客コンベアの長さに応じて異なるため、特別な長さ寸法の蛍光灯を準備する必要があり、製造コストが大幅に増加する問題がある。
【０００８】
本発明は、上記問題を考慮してなされたものであり、複数本の棒状の光源を踏段の移動方向に連続して配置しても、不自然な無灯領域が生じることなく美しく照明することができる照明装置をコスト安価に製造することを目的とする。
【課題を解決するための手段】
【０００９】
本発明にかかる乗客コンベアの照明装置は、踏段の両側に設置された欄干に前記踏段の移動方向に沿って配設された乗客コンベアの照明装置において、点光源を有する棒状光源を複数本備え、複数本の前記棒状光源は、第１棒状光源と前記第１棒状光源より短い長さに設けられた第２棒状光源とを備え、前記踏段の移動方向に沿って前記点光源が並ぶように前記欄干に配設され、前記第１棒状光源は、複数個の前記点光源が所定ピッチ毎に配置され、前記第２棒状光源は、前記踏段の移動方向に沿った長さが、前記所定ピッチ以下に設けられ、隣り合う前記棒状光源において隣接する前記点光源の間隔が、前記所定ピッチの１．５倍以下に設定されていることを特徴とする。
【発明の効果】
【００１０】
本発明では、上記構成により、不自然な無灯領域が生じることなく美しく照明することができる照明装置をコスト安価に製造することができる。
【図面の簡単な説明】
【００１１】
【図１】本発明の一実施形態にかかる乗客コンベアの照明装置を示す概略側面図である。
【図２】本発明の一実施形態にかかる乗客コンベアの照明装置を示す概略平面図である。
【図３】本発明の変更例にかかる乗客コンベアの照明装置を示す概略側面図である。
【発明を実施するための形態】
【００１２】
以下、本発明の一実施形態について、図面を参照して説明する。
【００１３】
図１に示すように、本実施形態にかかる照明装置１０は、上階床と下階床の間に亘って配置されたエスカレータ１に用いられる照明装置である。なお、本実施形態では、乗客コンベアとしてエスカレータを例として説明するが、照明装置１０は、踏段列が移動する動く歩道にも適用することができる。
【００１４】
エスカレータ１は、上階床と下階床の間に亘って建築物へ設置されるトラス２と、このトラス２内で長楕円軌道に沿って配置され、無端状に連結された多数の踏段３と、この多数の踏段３の両側位置に立設された左右一対の欄干４と、欄干４の周縁部に装着された無端状の手摺ベルト５とを備え、不図示の駆動装置によって踏段３および手摺ベルト５が上階側の乗降口６と下階側の乗降口７との間を循環移動する。
【００１５】
このようなエスカレータ１は、上下階の乗降口６，７に位置する水平部１Ａ，１Ｂと、所定の傾斜角度で踏段３が直線移動する中間傾斜部１Ｃと、水平部１Ａおよび水平部１Ｂと中間傾斜部１Ｃとをなだらかに繋ぐ曲線部１Ｄとから構成されている。
【００１６】
照明装置１０は、欄干４の手摺ベルト５下方位置に、踏段３の移動方向に沿って下階側の水平部１Ａから上階側の水平部１Ｂまで配設されており、エスカレータ１の長手方向のほぼ全域を照明する。
【００１７】
詳細には、照明装置１０は、複数本の棒状光源１２と、これら複数本の棒状光源１２を覆う光拡散性のカバー体８とを備える。棒状光源１２は、長さが異なる２種類の棒状光源からなり、本実施形態では、第１棒状光源１２ａと、第１棒状光源１２ａより短い第２棒状光源１２ｂとから構成される。
【００１８】
第１棒状光源１２ａは、図２に示すように、第１棒状光源１２ａの長手方向に沿って長く延びる略矩形状の回路基板１４ａと、複数個（例えば、本実施形態では６個）のＬＥＤ素子などの点光源１６ａとを備え、回路基板１４ａ上に各点光源１６ａが長手方向に沿って所定ピッチＰ毎に配設されている。第１棒状光源１２ａでは、回路基板１４ａの端部に配設された点光源１６ａから回路基板１４ａの端縁までの距離Ｑ１が、回路基板１４ａ上に配設された点光源１６ａの配設ピッチＰの半分以下（すなわち、距離Ｑ１≦Ｐ／２）に設定されている。
【００１９】
第２棒状光源１２ｂは、略矩形状の回路基板１４と、１個のＬＥＤ素子などの点光源１６とを備え、回路基板１４上に点光源１６が配設されている。第２棒状光源１２ｂの長さは、すなわち、踏段３の移動方向に沿った長さは、第１棒状光源１２ａの回路基板１４ａ上に配設された点光源１６ａの配設ピッチＰ以下に設定されている。また、第２棒状光源１２ｂでは、点光源１６ｂから回路基板１４ｂの端縁までの距離Ｑ２が、回路基板１４ａと同様、点光源１６ａの配設ピッチＰの半分以下（すなわち、距離Ｑ２≦Ｐ／２）に設定されている。
【００２０】
そして、第１棒状光源１２ａおよび第２棒状光源１２ｂは、長手方向を踏段３の移動方向に沿わせるとともに、互いに所定間隔Ｒだけ離隔させて連ねて欄干４に配設されている。これにより、第１棒状光源１２ａおよび第２棒状光源１２ｂに設けられた点光源１６ａ，１６ｂが踏段３の移動方向に沿って並ぶように配置されている。
【００２１】
具体的には、図１に示すように、エスカレータ１の水平部１Ａ，１Ｂおよび中間傾斜部１Ｃには、第１棒状光源１２ａが配設されている。そして、水平部１Ａ，１Ｂおよび中間傾斜部１Ｃにおいて第１棒状光源１２ａを配設できない領域（本実施形態では、中間傾斜部１Ｃの上階側）、すなわち、第１棒状光源１２ａの長さより短い領域に第２棒状光源１２ｂが配設されている。また、曲線部１Ｄには、複数本の第２棒状光源１２ｂが曲線部１Ｄの曲線形状に沿って配設されている。
【００２２】
また、踏段３の移動方向に隣り合う棒状光源１２の間隔Ｒは、図２に示すように、隣り合う棒状光源１２において隣接する点光源１６の間隔Ｓが、第１棒状光源１２ａの回路基板１４ａに設けられた点光源１６ａの配設ピッチＰの１．５倍以下、好ましくは、１．２倍以下、より好ましくは配設ピッチＰと同じ距離となるように設定される。
【００２３】
第１棒状光源１２ａの回路基板１４ａおよび第２棒状光源１２ｂの回路基板１４ｂは、不図示の電源装置に接続され、電力の供給を受けることで各回路基板１４上に配設された点光源１６が点灯する。本実施形態の照明装置１０では、第２棒状光源１２ｂの回路基板１４ｂが、例えば、隣り合う棒状光源１２ａ，１２ｂや、最も近接する位置にある第１棒状光源１２ａなど、他の棒状光源１２の回路基板１４と直列に接続されている。
【００２４】
以上のように、本実施形態の照明装置１０では、点光源１６を設けた複数本の棒状光源１２が、踏段３の移動方向に沿って連ねて欄干４に配設され、複数本の棒状光源１２のうち第１棒状光源１２ａには、点光源１６が配設ピッチＰ毎に配置されており、更に、踏段３の移動方向に隣り合う棒状光源１２の間隔Ｒは、隣り合う棒状光源１２において隣接する点光源１６の間隔Ｓが、第１棒状光源１２ａの回路基板１４ａに設けられた点光源１６ａの配設ピッチＰの１．５倍以下となるように設定される。
【００２５】
これにより、隣り合う棒状光源１２の間に間隔Ｒが設けても、下階側の水平部１Ａから上階側の水平部１Ａまでの領域に、点光源１６が間隔をあけて配置されることなるので、明部と暗部との明度差が小さくなり視覚的に不自然な暗部が生じることがない。一方、隣り合う棒状光源１２において隣接する点光源１６の間隔Ｓが、点光源１６ａの配設ピッチＰの１．５倍より大きくなると、隣り合う棒状光源１２との間に不自然な暗部が生じてしまい美観を損ねる。
【００２６】
特に、隣り合う棒状光源１２の間隔Ｒを点光源１６ａの配設ピッチＰと等しく設定することで、下階側の水平部１Ａから上階側の水平部１Ａまでのほぼ全域をほぼ均一な照度にて下階側の水平部１Ａから上階側の水平部１Ａまでの領域を照明することができる。
【００２７】
また、本実施形態の照明装置１０は、長さの異なる複数種類の棒状光源１２ａ，１２ｂから構成されているため、複数種類の棒状光源１２の組み合わせを変更するとともに、点光源１６ａの間隔Ｓが配設ピッチＰの１．５倍以下となるように長手方向に隣り合う棒状光源１２の間隔Ｒを調整することで、エスカレータ毎に特別な長さ寸法の棒状光源を要することなくあらゆる長さのエスカレータに応じた適切な長さの照明装置が得られ、部品の共通化を図り製造コストを抑えることができる。
【００２８】
さらに、エスカレータ１の曲線部１Ｄのように照明装置１０を曲線形状に沿わせて配設する場合でも、本実施形態の照明装置１０のように、短い第２棒状光源１２ｂをエスカレータ１の曲線部１Ｄに配設することで、曲線部１Ｄの曲線形状に合わせた特殊な曲げ加工された棒状光源を用いることなく、曲線部１Ｄの曲線形状に沿って滑らかに棒状光源を配設することができ、点光源１６が踏段３の移動方向に沿って間隔をあけて配列されていることと相俟って、曲線部１Ｄに沿った滑らかな曲線形状の照明装置が得られる。
【００２９】
また、最も短い棒状光源１２ｂの長手方向の長さが、配設ピッチＰ以下に設定されているため、照明装置１０の全長が異なる場合であっても、下階側の水平部１Ａから上階側の水平部１Ａまでのほぼ全域にわたって、点光源１６をほぼ等しいピッチＰで配設することが容易に可能となる。
【００３０】
また、本実施形態の照明装置１０では、第２棒状光源１２ｂの回路基板１４ｂは、他の棒状光源１２の回路基板１４に直列に接続されているため、電源装置から照明装置１０に供給される電圧を降圧させることなく各回路基板１４に直接供給することができる。
【００３１】
なお、上記した本実施形態では、欄干４における手摺ベルト５の下方位置に照明装置１０を配設する場合について説明したが、本発明はこれに限定されず、例えば、図３に示すように、欄干４の下部のスカートガード９に配設されてもよい。
【００３２】
また、上記した本実施形態では、棒状光源１２が有する点光源１６にＬＥＤ素子を用いた場合について説明したが、有機ＥＬ素子やネオン球などであってもよい。
【００３３】
また、上記した本実施形態では、回路基板１４上に配設された点光源１６の個数が異なり長手方向の長さ寸法の異なる２種類の棒状光源１２ａ，１２ｂから照明装置１０を構成したが、例えば、１個の点光源１６を備える棒状光源１２など１種類の棒状光源１２のみから照明装置１０を構成したり、あるいは、長さ寸法がそれぞれ異なる３種類以上の棒状光源１２から照明装置１０を構成してもよい。
【００３４】
特に、長手方向の長さ寸法の異なる複数種類の棒状光源１２を用いて照明装置１０を構成する際に、偶数個（例えば、２個など）の点光源１６を回路基板１４上に所定ピッチＰ毎に配設した棒状光源１２と、奇数個（例えば、３個など）の点光源１６を回路基板１４上に所定ピッチＰ毎に配設した棒状光源１２とを用いることで、より一層、様々な長さのエスカレータに応じた適切な長さの照明装置１０が得やすくなる。これにより、長手方向に隣り合う棒状光源１２の間隔Ｒの調節範囲を小さくすることができ、照明装置１０の全域を均一な照度に設定しやすくなる。
【００３５】
また、上記した本実施形態では、照明装置１０を構成する棒状光源１２のうち最も短い棒状光源１２ｂとして回路基板１４ｂ上に１個の点光源１６を配設する場合について説明したが、例えば、最も短い棒状光源１２として、２個あるいは３個など複数個の点光源１６を回路基板１４上に所定ピッチＰ毎に配設した棒状光源１２を用いてもよい。
【００３６】
また、上記した本実施形態では、第２棒状光源１２ｂの回路基板１４ｂが他の棒状光源１２の回路基板１４に直列に接続されている場合について説明したが、本発明はこれに限定されず、照明装置１０が有する各回路基板１４を電源装置にそれぞれ並列接続してもよい。
【符号の説明】
【００３７】
１…エスカレータ（乗客コンベア）
２…トラス
３…踏段
４…欄干
５…手摺ベルト
６…乗降口
７…乗降口
８…カバー体
９…スカートガード
１０…照明装置
１２…棒状光源
１２ａ…第１棒状光源
１２ｂ…第２棒状光源
１４…回路基板
１４ａ…第１回路基板
１４ｂ…第２回路基板
１６、１６ａ，１６ｂ…点光源
【図１】
0005518526.tif 000002
【図２】
0005518526.tif 000003
【図３】
0005518526.tif 000004